(57)【要約】【課題】乗りかごの天井で新主ロープを回収する必要が無く、乗りかごの天井における作業スペースを充分確保することができるエレベータの主ロープの交換方法を提供する。【解決手段】主ロープ交換方法は、乗りかご１６をピット１２ｂまで移動させて連結部３４ａに連結された主ロープ２１を予備連結部３４ｄに繋ぎ換え、新主ロープ５３を連結部３４ａに連結する第１ステップＳ１と、繋ぎ換えた主ロープ２１によって乗りかご１６を昇降路頂部１２ａへ移動させ固定用ビーム５９に乗りかご１６を吊り下げつつカウンターウェイト１８をサポート部材６０で支え、主ロープ２１を切断し新主ロープ５３に連結する第２ステップＳ２と、主ロープ２１をピット１２ｂへ送り出すことにより新主ロープ５３をピット１２ｂへ降ろしてカウンターウェイト１８に連結する第３ステップＳ３とを含んでいる。【選択図】図４
2017159982.tif 000002
【特許請求の範囲】
【請求項１】
エレベータ昇降路の頂部に設置された巻上機に架け渡され、一端が乗りかごに設けられた連結部に連結され、他端がカウンターウェイトに連結された旧主ロープを新主ロープに交換する主ロープ交換方法であって、
前記乗りかごを前記昇降路の最下部であるピットまで移動させ、前記乗りかごの前記連結部に一端が連結された前記旧主ロープを前記乗りかごに設けられた予備連結部に繋ぎ換えるとともに、前記新主ロープの一端を前記乗りかごの前記連結部に連結する第１のステップと、
前記予備連結部に繋ぎ換えられた前記旧主ロープを用いて前記乗りかごを前記昇降路の頂部へ移動させ、当該頂部に設置された固定用ビームに前記乗りかごを吊り下げ、かつ、前記カウンターウェイトを支えるサポート部材を設置した状態で、前記旧主ロープを前記乗りかごおよび前記巻上機の間で切断し、前記旧主ロープの切断した端部を前記新主ロープの他端と連結する第２のステップと、
前記旧主ロープを前記ピットの方へ送り出すことにより前記新主ロープの他端を前記巻上機に架け渡しつつ前記ピットまで降ろして前記新主ロープの他端を前記カウンターウェイトに連結する第３のステップと、を含むことを特徴とする、
エレベータの主ロープ交換方法。
【請求項２】
請求項１に記載のエレベータの主ロープ交換方法において、
前記第１のステップでは、前記乗りかごに連結された前記旧主ロープのうち、前記乗りかごを前記昇降路頂部へ昇降させるために必要な本数の前記旧主ロープだけ前記予備連結部に繋ぎ換え、残りの前記旧主ロープの一端は前記連結部から取り外して前記乗りかごの天井に固定し、
前記第２のステップでは、残りの前記旧主ロープの一端を前記乗りかごの天井から取り外して前記新主ロープの他端と連結することを特徴とする、
エレベータの主ロープ交換方法。
【請求項３】
請求項１または２に記載のエレベータの主ロープ交換方法において、
前記第１のステップでは、チェーンブロックによって前記乗りかごを吊り下げた状態で前記旧主ロープを前記連結部から前記予備連結部に繋ぎ換えるとともに、前記新主ロープを前記連結部に連結することを特徴とする、エレベータの主ロープ交換方法。
【発明の詳細な説明】
【技術分野】
【０００１】
本発明は、エレベータの主ロープ交換方法、特に、巻上機が昇降路頂部に設置されているエレベータにおける主ロープの交換方法に関する。
【背景技術】
【０００２】
エレベータでは、乗りかごおよびカウンターウェイトに両端が連結されるとともに、巻上機に掛け渡された主ロープを介して乗りかごおよびカウンターウェイトを相対的に昇降させている。この主ロープは、例えば使用期間が長くなった場合等に新しい新主ロープに交換する必要がある。
【０００３】
昇降路頂部に巻上機が設置されたエレベータでは、乗りかごの天井に交換用の新主ロープを積載し、この新主ロープの一端を予め昇降路の最下部であるピットで乗りかごに連結し、その後、乗りかごを昇降路頂部まで移動させる。そして、当該頂部に設置された固定用ビーム等に乗りかごを吊り下げ固定するとともに、昇降路ピットまで降下しているカウンターウェイトもサポート部材で支持する。このようにして、主ロープに乗りかごおよびカウンターウェイトの荷重が作用しない状態とし、昇降路ピットでカウンターウェイトから主ロープの一端を取り外して主ロープを乗りかごへ引き上げて回収する。それから、新主ロープの他端を昇降路ピットへ降ろして乗りかごに連結する。その後、乗りかごおよびカウンターウェイトの固定を解除し、乗りかごを昇降路ピットへ再び移動させて乗りかごから旧主ロープの他端を取り外して主ロープの交換作業が行われる。
【０００４】
特許文献１には、乗りかごの綱止梁に取り付けられた固定用ロッドに回動可能に支持されたアダプター部材を設け、このアダプター部材に主ロープを取り付ける取付孔を２つ設けることで、乗りかごに連結されている主ロープを取り外すことなく新しい主ロープを連結できるようにした主ロープ交換用アダプターを用いたエレベータの主ロープ交換方法が開示されている。
【先行技術文献】
【特許文献】
【０００５】
【特許文献１】特開２００４‐３５１９８号公報
【発明の概要】
【発明が解決しようとする課題】
【０００６】
しかしながら、上記特許文献１に記載のエレベータの主ロープ交換方法では、カウンターウェイトから取り外した主ロープを乗りかごの天井まで引き上げて回収してから新主ロープを乗りかごの天井から昇降路ピットへ降ろす必要がある。このため、交換作業時に新旧の主ロープが乗りかご天井に同時に積載された状態となり、乗りかご天井の作業スペースが狭くなり、作業性の点で問題があった。
【０００７】
本発明の目的は、乗りかご天井で新主ロープを回収する必要が無く、乗りかご天井における作業スペースを充分確保することができるエレベータの主ロープ交換方法を提供することにある。
【課題を解決するための手段】
【０００８】
本発明に係るエレベータ昇降路の頂部に設置された巻上機に架け渡され、一端が乗りかごに設けられた連結部に連結され、他端がカウンターウェイトに連結された旧主ロープを新主ロープに交換する主ロープ交換方法であって、乗りかごを昇降路の最下部であるピットまで移動させ、乗りかごの連結部に一端が連結された旧主ロープを乗りかごに設けられた予備連結部に繋ぎ換えるとともに、新主ロープの一端を乗りかごの連結部に連結する第１のステップと、予備連結部に繋ぎ換えられた旧主ロープを用いて乗りかごを昇降路の頂部へ移動させ、当該頂部に設置された固定用ビームに乗りかごを吊り下げ、かつ、カウンターウェイトを支えるサポート部材を設置した状態で、旧主ロープを乗りかごおよび巻上機の間で切断し、旧主ロープの切断した端部を新主ロープの他端と連結する第２のステップと、旧主ロープをピットの方へ送り出すことより新主ロープの他端を巻上機に架け渡しつつピットまで降ろして新主ロープの他端をカウンターウェイトに連結する第３のステップと、を含むことを特徴とするものである。
【０００９】
本発明に係るエレベータの主ロープ交換方法において、第１のステップでは、乗りかごに連結された旧主ロープのうち、乗りかごを昇降路頂部へ昇降させるために必要な本数の旧主ロープだけ予備連結部に繋ぎ換え、残りの旧主ロープの一端は連結部から取り外して乗りかごの天井に固定し、第２のステップでは、残りの旧主ロープの一端を乗りかごの天井から取り外して新主ロープの他端と連結してもよい。
【００１０】
また、本発明に係るエレベータの主ロープの交換方法において、第１のステップでは、チェーンブロックによって乗りかごを吊り下げた状態で旧主ロープを連結部から予備連結部に繋ぎ換えるとともに、新主ロープを連結部に連結してもよい。
【発明の効果】
【００１１】
本発明に係るエレベータの主ロープ交換方法によれば、昇降路のピットで乗りかごに新主ロープの一端を連結した後、乗りかごを昇降路頂部の固定用ビームで吊り下げ、この状態で旧主ロープを切断して新主ロープに連結する。そして、旧主ロープをピットの方へ送り出すことにより新主ロープの他端を巻上機に架け渡しつつピットまで降ろしてカウンターウェイトに連結することができる。このため、乗りかごの天井で旧主ロープを回収する必要がなく、足元の作業スペースが十分確保でき、作業性を向上させることができる。
【図面の簡単な説明】
【００１２】
【図１】図１は、本発明の実施形態である主ロープの交換方法が適用されるエレベータの全体構成を示す斜視図である。
【図２】図２は、図１に含まれる乗りかごの側面図である。
【図３】図３は、図１に含まれるカウンターウェイトの側面図である。
【図４】図４は、主ロープ交換方法の作業手順を示すフローチャートである。
【図５】図５は、チェーンブロックで乗りかごをピット内で吊り下げた状態を示す図である。
【図６】図６は、主ロープをダミーロッドに連結するとともに固定用ロッドに新しい主ロープを連結した状態を示す図である。
【図７】図７は、昇降路頂部で固定用ビームに乗りかごを吊り下げた状態を示す図である。
【図８】図８（ａ）は第１連結治具の構成を示す分解図であり、図８（ｂ）は第１連結治具で主ロープを新主ロープに連結した状態を示す図である。
【図９】図９（ａ）は第２連結治具の構成を示す分解図であり、図９（ｂ）は第２連結治具で主ロープを新主ロープに連結した状態を示す図である。
【発明を実施するための形態】
【００１３】
以下に、本発明の実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１４】
図１は、本発明の実施形態である主ロープの交換方法が適用されるエレベータ１０の全体構成を示す斜視図である。同図では、図示の簡略化の為、複数ある主ロープのうち１本の主ロープ２１のみ示している。図２は、図１に含まれる乗りかご１６の側面図である。図３は、図１に含まれるカウンターウェイト１８の側面図である。図１〜図３に示すように、エレベータ１０は、昇降路１２の頂部１２ａに設置された巻上機１４を備え、この巻上機１４を介して乗りかご１６、および、カウンターウェイト１８を相対的に昇降させる機能を有している。巻上機１４は、昇降路１２の最下部であるピット１２ｂに立設され、カウンターウェイト１８を上下方向に移動可能に支持するガイドレール１３ａ，１３ｂの上端部に設置された梁１３ｃの上に設置されている。巻上機１４には主ロープ２１，２２，２３が架け渡されている。図２に示すように、主ロープ２１，２２，２３の一端は、端末部２１ａ，２２ａ，２３ａによって構成されている。そして、主ロープ２１，２２，２３は、各端末部２１ａ，２２ａ，２３ａを介して乗りかご１６に連結されている。一方、図３に示すように、主ロープ２１，２２，２３の他端は、端末部２１ｂ，２２ｂ，２２ｃによって構成されている。そして、主ロープ２１，２２，２３は、各端末部２１ｂ，２２ｂ，２２ｃを介してカウンターウェイト１８に連結されている。主ロープ２１の端末部２１ａは、二股状に形成された金属製部材であり、後述する固定用ロッドに連結するための貫通孔Ｈ１，Ｈ２（図２参照）が幅方向に設けられている。他の端末部２２ａ〜２２ｃも、端末部２１ａと同一の構成を備えている。ここで、主ロープ２１，２２，２３は、本発明の旧主ロープに相当する。
【００１５】
図１に示すように、ガイドレール３１ａ，３１ｂは、上述したガイドレール１３ａ，１３ｂに隣接するように昇降路１２のピット１２ｂに立設している。このガイドレール３１ａ，３１ｂは、図２に示すように、乗りかご１６の側面に取り付けられたかご枠３３ａ，３３ｂを上下方向に移動可能に支持している。このかご枠３３ａ，３３ｂの下端部には、綱止梁３４がその間を連結するように略水平に延設されている。この綱止梁３４には、主ロープ２１〜２３を連結するための連結部３４ａ，３４ｂ，３４ｃが中央部に等間隔に設けられている。各連結部３４ａ，３４ｂ，３４ｃは、綱止梁３４を上下方向に貫通する貫通孔であり、主ロープ２１，２２，２３を固定する連結器３５が取り付けられている。この連結器３５は、上記３つの連結部３４ａ〜３４ｃに挿通された固定用ロッド３６，３７，３８を含み、図示を省略するボルト等によって綱止梁３４に上下方向に移動可能に取り付けられている。固定用ロッド３６〜３８は、綱止梁３４との間にスプリング３９ａ，３９ｂ，３９ｃが外装されている。各スプリング３９ａ，３９ｂ，３９ｃは、急制動時等に主ロープ２１〜２３から乗りかご１６に伝わる衝撃を緩和する機能を有している。固定用ロッド３６は、上端に環状部３６ａが設けられており、上述した主ロープの端末部２１ａに挟み込まれた状態で固定用ピン（不図示）を挿通することで主ロープ２１に連結される。固定用ロッド３７，３８は、固定用ロッド３６と同一の構成を備え、主ロープ２２，２３に連結されている。
【００１６】
また、綱止梁３４の両端側には、主ロープ２１，２２，２３の交換を行う際に、主ロープ２１，２３を繋ぎ換えるための予備連結部３４ｄ，３４ｅが設けられている。予備連結部３４ｄ，３４ｅは、連結部３４ａと同様に形成された貫通孔である。
【００１７】
かご枠３３ａ，３３ｂの上部には、乗りかご１６を吊り上げるための吊り上げ用梁４０が取り付けられている。この吊り上げ用梁４０には、チェーンブロック等の治具を連結するためにかご吊り用孔４０ａ，４０ｂ，４０ｃが水平方向に等間隔で設けられている。
【００１８】
カウンターウェイト１８は、図１に示すように、両側面をガイドレール１３ａ，１３ｂによって上下方向に移動可能に支持されている。図３に示すように、カウンターウェイト１８の上面には、固定用ロッド４１〜４３が等間隔に取り付けられている。各固定用ロッド４１〜４３は、上述した乗りかご１６の固定用ロッド３６〜３８と同様の形状を有している。
【００１９】
図１に示すように、制御部４６は、巻上機１４の直上方に設置されており、各階乗場Ｆ１，Ｆ２，Ｆ３に設置されているかご呼び釦等（不図示）の操作入力に基づいて巻上機１４を作動させることで乗りかご１６の運転を制御する。また、この制御部４６は、無線接続された保守用携帯端末によって各種操作が可能となるよう構成されている。
【００２０】
続いて、図４〜図９を用いて本発明一実施形態である主ロープの交換方法について説明する。図４は、主ロープ交換方法の作業手順を示すフローチャートである。図５は、チェーンブロック５２で乗りかご１６を吊り下げた状態を示す図である。図６は、主ロープ２１，２３をダミーロッド４８，４９に連結するとともに固定用ロッド３６〜３８に新主ロープ５３，５４，５５を連結した状態を示す図である。図７は、昇降路１２の頂部１２ａで固定用ビーム５９に乗りかご１６を吊り下げた状態を示す図である。図８（ａ）は第１連結治具６３の構成を示す分解図であり、同図（ｂ）は第１連結治具６３で主ロープ２１を新主ロープ５３に連結した状態を示す図である。図９（ａ）は第２連結治具６８の構成を示す分解図であり、同図（ｂ）は第２連結治具６８で主ロープ２２を新主ロープ５４に連結した状態を示す図である。
【００２１】
図４に示すように、主ロープ交換方法は、新旧主ロープの繋ぎ換えステップＳ１、新旧主ロープの連結ステップＳ２、および、新主ロープのカウンターウェイトへの連結ステップＳ３を含む。新旧主ロープの繋ぎ換えステップＳ1は本発明の第１ステップに相当し、新旧主ロープの連結ステップＳ２は本発明の第２ステップに相当し、新主ロープのカウンターウェイトへの連結ステップＳ３は本発明の第３ステップに相当する。
【００２２】
図４に示すように、新旧主ロープの繋ぎ換えステップＳ１は、第１〜第３の作業ステップＳ１ａ，Ｓ１ｂ，Ｓ１ｃを含んでいる。第１の作業ステップＳ１ａでは、図１に示すように、乗りかご１６を昇降路１２のピット１２ｂまで移動させる。また、この際、主ロープ２１と同一の構成を備えた交換用の新主ロープ５３，５４，５５を乗りかご１６の天井１６ａの上に積み込む。
【００２３】
第２の作業ステップＳ１ｂでは、図５に示すように、両端に固定用クランプ５１ａ，５１ｂを有する玉掛けワイヤ５１を主ロープ２１，２３に取り付けて玉掛けワイヤ５１にチェーンブロック５２を吊り下げる。そして、チェーンブロック５２の下端部に連結されたフック５２ａを乗りかご１６の吊り上げ用梁４０に設けられたかご吊り用孔４０ｂに連結し、チェーンブロック５２で乗りかご１６の重量を支持させる。これにより、玉掛けワイヤ５１のクランプ部５１ａ，５１ｂよりも上方の主ロープ２１，２３で乗りかご１６の荷重を支えさせることができる。この結果、主ロープ２１〜２３の端末部２１ａ〜２３ａに乗りかご１６の重量が作用せず弛緩させて取り外し可能な状態にできる。さらに、保守用携帯端末で制御部４６を遠隔操作して乗りかご１６に備えられている非常止め装置（不図示）を作動させて乗りかご１６がガイドレール３１ａ，３１ｂに固定された状態とする。それから、図５に示すように、乗りかご１６の綱止梁３４の予備連結部３４ｄ，３４ｅ（図２参照）にボルト等を介してダミーロッド４８，４９を挿通固定する。なお、図６では、ダミーロッド４８，４９を綱止梁３４に固定する一部のボルトの図示を省略している。ダミーロッド４８，４９は、上述した固定用ロッド３６〜３８と同様の形状を有している。
【００２４】
第３の作業ステップＳ１ｃでは、図６に示すように、乗りかご１６の綱止梁３４の固定用ロッド３６，３８からダミーロッド４８，４９に主ロープ２１，２３の端末部２１ａ，２３ａを繋ぎ換える。それから、綱止梁３４の固定用ロッド３７から主ロープ２２の端末部２２ａを取り外して乗りかご１６の天井１６ａに設置された、例えば固定用チャック等の固定治具に固定する。このように、乗りかご１６を昇降路１２の頂部１２ａまで移動させるのに必要な主ロープ２１，２３のみをダミーロッド４８，４９に連結し、他の主ロープ２２については予め乗りかご１６の天井１６ａに固定しておくようにする。そして、図６に示すように、乗りかご１６の天井１６ａに積載された新主ロープ５３，５４，５５の一端の端末部５３ａ，５４ａ，５５ａを固定用ロッド３６，３７，３８に連結する。それから、乗りかご１６の非常止め装置を解除して乗りかご１６を上下方向に移動可能な状態にする。
【００２５】
図４に示すように、新旧主ロープの連結ステップＳ２は、第４および第５の作業ステップＳ２ａ，Ｓ２ｂを含んでいる。第４の作業ステップＳ２ａでは、図７に示すように、ダミーロッド４８，４９に繋ぎ換えられた主ロープ２１，２３を用いて乗りかご１６を昇降路１２の頂部１２ａへ移動させる。その後、昇降路１２の頂部１２ａにおいて、ボルト等を用いてガイドレール３１ａ，３１ｂの間に固定用ビーム５９を架設する。この固定用ビーム５９は、乗りかご１６を吊り下げるために用いられる仮設の梁である。そして、図７に示すように、固定用ビーム５９にチェーンブロック６１，６２を連結し、チェーンブロック６１，６２の下端のフック６１ａ，６２ａを乗りかご１６の吊り上げ用梁４０のかご吊り用孔４０ａ，４０ｃに連結する。この際、チェーンブロック６１，６２で乗りかご１６を吊り上げる前に、カウンターウェイト１８の直下方におけるピット１２ｂの床面に鋼材からなるサポート部材６０を設置する。そして、保守用携帯端末を操作して乗りかご１６を少しだけ上昇させることにより、カウンターウェイト１８を降下させる。これにより、カウンターウェイト１８がサポート部材６０に接触し、サポート部材６０によってカウンターウェイト１８が支持される。それから、チェーンブロック６１，６２を操作して乗りかご１６を吊り上げる。これにより、チェーンブロック６１，６２によって乗りかご１６を支持することができる。このようにして主ロープ２１，２２，２３に乗りかご１６およびカウンターウェイト１８の重量が作用しない状態にする。さらに、第２の作業ステップＳ１ｂと同様に、非常止め装置を作動させて乗りかご１６がガイドレール３１ａ，３１ｂに固定された状態とする。
【００２６】
第５の作業ステップＳ２ｂでは、乗りかご１６の綱止梁３４と巻上機１４の間で主ロープ２１を切断する。そして、図８（ａ）および図８（ｂ）に示すように、主ロープ２１の切断した端部２１ｃと新主ロープ５３の他端における端末部５３ｂとを第１連結治具６３を用いて連結する。第１連結治具６３は、一端に主ロープ２１の切断した端部２１ｃを固定可能なクランプ部６４が設けられ、他端に新主ロープ５３の端末部５３ｂを固定する環状部６６が設けられている。
【００２７】
第１連結治具６３のクランプ部６４は、図８（ａ）に示すように、２つのネジ軸６４ａ，６４ｂと、この２つのネジ軸６４ａ，６４ｂに挿通される貫通孔６５ａ，６５ｂが設けられた押さえ板６５とを有している。図８（ｂ）に示すように、２つのネジ軸６４ａ，６４ｂの間に主ロープ２１の切断した端部２１ｃを配置した状態で、押さえ板６５を２つのネジ軸６４ａ，６４ｂに挿通してボルトＢ１，Ｂ２で固定することで主ロープ２１を挟み込んで固定することができる。また、第１連結治具６３の環状部６６は、新主ロープ５３の端末部５３ｂに挟み込まれた状態で連結用筒部材６７を挿通し、この連結用筒部材６７の軸方向における両端側に外れ止めピン６７ａ，６７ｂを挿通固定する。これにより、主ロープ２１および新主ロープ５３が回転可能に連結される。そして、主ロープ２１から順に下方の昇降路１２のピット１２ｂへ少しずつ送り出すことにより、新主ロープ５３を巻上機１４に架け渡しつつ昇降路１２のピット１２ｂまで降下させる。それから、主ロープ２１の端末部２１ｂをカウンターウェイト１８の固定用ロッド４１から取り外して、新主ロープ５３の端末部５３ｂを固定用ロッド４１に取り付ける。主ロープ２３の端末部２３ｂについても同様の手順で固定用ロッド４３から取り外して新主ロープ５５を固定用ロッド４３に取り付ける。これにより、主ロープ２１，２３を乗りかご１６の天井１６ａで回収することなく、昇降路１２のピット１２ｂまで降ろしつつ新主ロープ５３，５５をカウンターウェイト１８に連結できる。
【００２８】
また、図９（ａ）および図９（ｂ）に示すように、乗りかご１６の天井１６ａに固定されている主ロープ２２の端末部２２ａを第２連結治具６８に連結して上述した新主ロープ５３と同様の手順で新主ロープ５４をカウンターウェイト１８に連結する。すなわち、第２連結治具６８の両端には環状部６８ａ，６８ｂがそれぞれ設けられており、この環状部６８ａ，６８ｂに連結用筒部材７１，７２を挿通した状態で、外れ止めピン７１ａ，７１ｂ，7２ａ，７２ｂを連結用筒部材７１，７２に挿通することで主ロープ２２の一端における端末部２２ａおよび新主ロープ５４の他端における端末部５４ｂを連結できる。このように各主ロープ２２，５４を連結した状態で、主ロープ２２を少しずつピット１２ｂへ送り出すことによって、新主ロープ５４を巻上機１４に架け渡しつつピット１２ｂへ降ろしてカウンターウェイト１８の固定用ロッド４２に新主ロープ５４の端末部５４ｂを連結する。これにより、主ロープ２２を乗りかご１６の天井１６ａで回収することなく昇降路１２のピット１２ｂまで降ろしつつ、新主ロープ５４をカウンターウェイト１８に連結することができる。
【００２９】
新主ロープのカウンターウェイトへの連結ステップＳ３では、固定用ビーム５９およびチェーンブロック６１，６２を取り外して撤去する。その後、乗りかご１６の非常止め装置を解除して、乗りかご１６を少しだけ下方に移動させ、カウンターウェイト１８の下に設置されたサポート部材６０を撤去する。それから、乗りかご１６を昇降路１２のピット１２ｂまで降下させて、綱止梁３４に連結されている主ロープ２１，２３の綱止梁３４から主ロープ２１，２３の残りの端末部２１ａ，２３ａおよびダミーロッド４８，４９を取り外して交換作業が終了する。
【００３０】
なお、本実施形態における第３の作業ステップＳ１ｃでは、主ロープ２１〜２３のうち、主ロープ２２だけダミーロッドに連結せずに乗りかご１６の天井１６ａに固定しているが、主ロープ２２についてもダミーロッドを綱止梁３４に設けて連結するようにしてもよい。この場合には、第４の作業ステップＳ２ａにおいて３本の主ロープ２１〜２３を用いて乗りかご１６を移動させることができる。
【００３１】
上述したように、本実施形態のエレベータの主ロープ交換方法によれば、昇降路１２のピット１２ｂで乗りかご１６に新主ロープ５３，５４，５５の一端を連結した後で、乗りかご１６を昇降路１２の頂部１２ａの固定用ビーム５９で吊り下げ、この状態で主ロープ２１，２３を切断して新主ロープ５３，５５に連結する。そして、主ロープ２１，２３をピット１２ｂの方へ送り出すことにより新主ロープ５３，５５の他端を巻上機１４に架け渡しつつピット１２ｂまで降ろしてカウンターウェイト１８に連結することができる。このため、乗りかご１６の天井１６ａで主ロープ２１，２３を回収する必要がなく、天井１６ａにおける足元の作業スペースが十分確保でき、作業性を向上させることができる。
【００３２】
なお、本発明に係るエレベータの主ロープ交換方法は、上述した実施形態およびその変形例の構成に限定されるものではなく、本願の特許請求の範囲に記載された事項およびその均等の範囲内で種々の改良や変更が可能であることはいうまでもない。
【符号の説明】
【００３３】
１０  エレベータ、１２  昇降路、１２ａ  頂部、１２ｂ  ピット、１４  巻上機、１６  乗りかご、１６ａ  天井、１８  カウンターウェイト、２１，２２，２３  主ロープ、２１ｃ  切断した端部、２１ａ〜２３ａ，２１ｂ〜２３ｂ，５３ａ〜５５ａ，５３ｂ，５４ｂ  端末部、３３ａ，３３ｂ  かご枠、３４  綱止梁、３４ａ，３４ｂ，３４ｃ  連結部、３４ｄ，３４ｅ  予備連結部、３６，３７，３８，４１，４２，４３  固定用ロッド、３６ａ  環状部、４６  制御部、４８，４９  ダミーロッド、５１  玉掛けワイヤ、５１ａ，５１ｂ  固定用クランプ、５２，６１，６２  チェーンブロック、５３，５４，５５  新主ロープ、６０  サポート部材、６３  第１連結治具、６８  第２連結治具、Ｓ１  新旧主ロープ繋ぎ換えステップ、Ｓ２  新旧主ロープ連結ステップ、Ｓ３  新主ロープのカウンターウェイトへの連結ステップ。
【図１】
2017159982.tif 000003
【図２】
2017159982.tif 000004
【図３】
2017159982.tif 000005
【図４】
2017159982.tif 000006
【図５】
2017159982.tif 000007
【図６】
2017159982.tif 000008
【図７】
2017159982.tif 000009
【図８】
2017159982.tif 000010
【図９】
2017159982.tif 000011